(57)【特許請求の範囲】
【請求項１】
Ａ、ユーザサイトの設備として、
ａ、歯科施術者用の各種操作モードの操作スイッチ・キー（５１０）の多数を有し、コンピュータ処理装置によるコントロール部によって、前記各種操作モードが表示される表示パネル（８）と、かつ、前記各種操作モードのテスト表示信号を遠隔保守センタ（５０１）に送出、あるいは、前記遠隔保守センタ（５０１）からネットワーク（５０５）を介してテスト装置（５０３）の操作スイッチ・キー並列接点部（５１３）と並列に接続された前記操作スイッチ・キー（５１０）を操作する信号を受信するコネクタ（５１１）を備えた保守対象歯科用チェアユニット（５００）と、
ｂ、前記保守対象歯科用チェアユニット（５００）側のコネクタ（５１１）と接続する前記テスト装置（５０３）側のコネクタ（５１２）並びに、
前記保守対象歯科用チェアユニット（５００）の前記各種操作モードの前記コントロール部の前記操作スイッチ・キー（５１０）と並列に接続され、前記遠隔保守センタ（５０１）からの遠隔操作によって操作する操作スイッチ・キー並列接点部（５１３）と、
ネットワーク（５０５）に接続される送受信端末と、それに接続される電子メール又は電話機（５０４）と、
前記保守対象歯科用チェアユニット（５００）から直接前記遠隔保守センタ（５０１）に送信されるテスト信号、並びに、前記遠隔保守センタ（５０１）から前記ネットワーク（５０５）を経由して前記保守対象歯科用チェアユニット（５００）に送信されるテスト信号との切り替え手段を有する前記テスト装置（５０３）を備え、
Ｂ、前記遠隔保守センタ（５０１）の設備として、
保守テスト処理装置（５０６ａ）と、それに付帯するテストモード設定ソフトウェア（５３０）と、
前記保守対象歯科用チェアユニット（５００）のテストデータを表示するデータ表示器（５０８）と、
ハードコピーを出力するプリンタ（５０９）と、
前記保守対象歯科用チェアユニット（５００）の各ユニット保守記録データファイル（５０７）と、
送受信端末と、電子メール又は電話機（５０４）とを有するチェアユニット保守テスト処理装置（５０６）とを備え、
Ｃ、前記保守対象歯科用チェアユニット（５００）及び前記テスト装置（５０３）と、前記チェアユニット保守テスト処理装置（５０６）との間を前記ネットワーク（５０５）で結んで構成し、
ユーザサイトに設置した前記保守対象歯科用チェアユニット（５００）の保守作業を保守専門技術者が、
前記テスト装置（５０３）の前記操作スイッチ・キー並列接点部（５１３）と並列に接続された前記操作スイッチ・キー（５１０）の操作を、前記ネットワーク（５０５）を介して前記遠隔保守センタ（５０１）の保守テスト処理装置（５０６ａ）を操作することにより遠方より実施、あるいは支援できるようにしたことを特徴とする歯科用チェアユニットの遠隔保守システムであって、
Ｄ、かつ、ユーザーサイトの前記保守対象歯科用チェアユニット（５００）が、前記各種操作モード、登録モード、及び保守テストモードの切り替え用設定スイッチを設けて構成され、
前記各種操作モードの操作スイッチ・キー（５１０）の多数を、前記登録モード並びに保守テストモードの操作スイッチ・キーとして兼用できるようにし、
ユーザーサイトの保守技術者は、前記操作スイッチ・キー（５１０）を操作してそれらのモードを前記表示パネル（８）に表示し、前記保守対象歯科用チェアユニット（５００）の保守作業を行うことができると共に、
前記表示パネル（８）への入力信号回路から並列に取り出した信号を前記ネットワーク（５０５）を介して前記遠隔保守センタ（５０１）に送信することにより、前記遠隔保守センタ（５０１）において、前記送受信端末を介して前記保守テスト処理装置（５０６ａ）によって前記データ表示器（５０８）にユーザーサイトと同様な表示を行い、
前記遠隔保守センタ（５０１）の保守専門技術者は、前記データ表示器（５０８）の表示を見てユーザーサイトの前記保守技術者と交信し支援する保守作業を実行できるようにしたことを特徴とする歯科用チェアユニットの遠隔保守システム。
【請求項２】
ユーザーサイトに保守技術者が不在時、
ユーザーサイトの保守用技術者が現地の前記保守対象歯科用チェアユニット（５００）において操作する前記操作スイッチ・キー（５１０）と同じ操作を、
前記保守対象歯科用チェアユニット（５００）に接続されたテスト装置（５０３）の前記操作スイッチ・キー並列接点部（５１３）を、前記遠隔保守センタ（５０１）において前記ネットワーク（５０５）を介して作動させて行い、
その結果のテスト表示信号を、前記ネットワーク（５０５）を介して前記遠隔保守センタ（５０１）に送信して、前記遠隔保守センタ（５０１）において、前記保守テスト処理装置（５０６ａ）により前記データ表示器（５０８）に表示し、
前記遠隔保守センタ（５０１）の保守専門技術者は、表示を見てユーザーサイトの保守技術者に代わって保守作業を実行できるようにしたことを特徴とする請求項１に記載の歯科用チェアユニットの遠隔保守システム。
【請求項３】
ユーザーサイトに保守技術者が常時不在時の歯科用チェアユニットの遠隔保守システムにおいて、
前記保守対象歯科用チェアユニット（５００）が複数の歯科用チェアユニット（５０２）を含む場合、
前記テスト装置（５０３）を個別に配設して、並列に接続し、
前記遠隔保守センタ（５０１）の前記チェアユニット保守テスト処理装置（５０６）の前記テストモード設定ソフトウェア（５３０）を順次保守作業のモードとし、複数台の前記歯科用チェアユニット（５０２）を順次切り替えて保守できるようにしたことを特徴とする請求項２に記載の歯科用チェアユニットの遠隔保守システム。
【発明の詳細な説明】
【０００１】
【発明の属する技術分野】
本発明は、歯科用チェアユニットの保守システムに係り、特にその遠隔保守システムに関する。
【０００２】
【従来の技術】
従来、歯科用チェアユニットの保守は、主として障害が発生したとき、ユーザーからの連絡により工場あるいはサービスセンタから技術者が出向き保守を行ってきたが、その時点で修理部品の都合等により障害が解消できないことも多く、あるいは技術者が不慣れな場合障害の診断ができず、再度保守技術者が出向く場合等があり、保守の実施が遅れユーザの信頼を失うことがあるとともに、多くの保守費用が発生する場合があった。
【０００３】
【発明が解決しようとする課題】
近時高度な機能が歯科用チェアユニットにも取り入れられ、より高度な保守技術が要求されると共に、機種の多様化や、ユーザの設置範囲が地理的に広域化しているため、さらなる保守の質の向上と均一化が望まれ、また修理時間の短縮、チェアユニットの信頼性の向上及び、保守費用の削減や、さらに保守データベースの作成等により、より効率的な保守システムを確立することが課題であった。
本発明では、これらの課題を解決する歯科用チェアユニットの遠隔保守システムを提供する。
【０００４】
（１）Ａ、ユーザサイトの設備として、
ａ、歯科施術者用の各種操作モードの操作スイッチ・キー（５１０）の多数を有し、コンピュータ処理装置によるコントロール部によって、前記各種操作モードが表示される表示パネル（８）と、かつ、前記各種操作モードのテスト表示信号を遠隔保守センタ（５０１）に送出、あるいは、前記遠隔保守センタ（５０１）からネットワーク（５０５）を介してテスト装置（５０３）の操作スイッチ・キー並列接点部（５１３）と並列に接続された前記操作スイッチ・キー（５１０）を操作する信号を受信するコネクタ（５１１）を備えた保守対象歯科用チェアユニット（５００）と、
ｂ、前記保守対象歯科用チェアユニット（５００）側のコネクタ（５１１）と接続する前記テスト装置（５０３）側のコネクタ（５１２）並びに、
前記保守対象歯科用チェアユニット（５００）の前記各種操作モードの前記コントロール部の前記操作スイッチ・キー（５１０）と並列に接続され、前記遠隔保守センタ（５０１）からの遠隔操作によって操作する操作スイッチ・キー並列接点部（５１３）と、
ネットワーク（５０５）に接続される送受信端末と、それに接続される電子メール又は電話機（５０４）と、
前記保守対象歯科用チェアユニット（５００）から直接前記遠隔保守センタ（５０１）に送信されるテスト信号、並びに、前記遠隔保守センタ（５０１）から前記ネットワーク（５０５）を経由して前記保守対象歯科用チェアユニット（５００）に送信されるテスト信号との切り替え手段を有する前記テスト装置（５０３）を備え、
Ｂ、前記遠隔保守センタ（５０１）の設備として、
保守テスト処理装置（５０６ａ）と、それに付帯するテストモード設定ソフトウェア（５３０）と、
前記保守対象歯科用チェアユニット（５００）のテストデータを表示するデータ表示器（５０８）と、
ハードコピーを出力するプリンタ（５０９）と、
前記保守対象歯科用チェアユニット（５００）の各ユニット保守記録データファイル（５０７）と、
送受信端末と、電子メール又は電話機（５０４）とを有するチェアユニット保守テスト処理装置（５０６）とを備え、
Ｃ、前記保守対象歯科用チェアユニット（５００）及び前記テスト装置（５０３）と、前記チェアユニット保守テスト処理装置（５０６）との間を前記ネットワーク（５０５）で結んで構成し、
ユーザサイトに設置した前記保守対象歯科用チェアユニット（５００）の保守作業を保守専門技術者が、
前記テスト装置（５０３）の前記操作スイッチ・キー並列接点部（５１３）と並列に接続された前記操作スイッチ・キー（５１０）の操作を、前記ネットワーク（５０５）を介して前記遠隔保守センタ（５０１）の保守テスト処理装置（５０６ａ）を操作することにより遠方より実施、あるいは支援できるようにしたことを特徴とする歯科用チェアユニットの遠隔保守システムであって、
Ｄ、かつ、ユーザーサイトの前記保守対象歯科用チェアユニット（５００）が、前記各種操作モード、登録モード、及び保守テストモードの切り替え用設定スイッチを設けて構成され、
前記各種操作モードの操作スイッチ・キー（５１０）の多数を、前記登録モード並びに保守テストモードの操作スイッチ・キーとして兼用できるようにし、
ユーザーサイトの保守技術者は、前記操作スイッチ・キー（５１０）を操作してそれらのモードを前記表示パネル（８）に表示し、前記保守対象歯科用チェアユニット（５００）の保守作業を行うことができると共に、
前記表示パネル（８）への入力信号回路から並列に取り出した信号を前記ネットワーク（５０５）を介して前記遠隔保守センタ（５０１）に送信することにより、前記遠隔保守センタ（５０１）において、前記送受信端末を介して前記保守テスト処理装置（５０６ａ）によって前記データ表示器（５０８）にユーザーサイトと同様な表示を行い、
前記遠隔保守センタ（５０１）の保守専門技術者は、前記データ表示器（５０８）の表示を見てユーザーサイトの前記保守技術者と交信し支援する保守作業を実行できるようにしたことを特徴とする歯科用チェアユニットの遠隔保守システム。
【０００５】
（２）ユーザーサイトに保守技術者が不在時、
ユーザーサイトの保守用技術者が現地の前記保守対象歯科用チェアユニット（５００）において操作する前記操作スイッチ・キー（５１０）と同じ操作を、
前記保守対象歯科用チェアユニット（５００）に接続されたテスト装置（５０３）の前記操作スイッチ・キー並列接点部（５１３）を、前記遠隔保守センタ（５０１）において前記ネットワーク（５０５）を介して作動させて行い、
その結果のテスト表示信号を、前記ネットワーク（５０５）を介して前記遠隔保守センタ（５０１）に送信して、前記遠隔保守センタ（５０１）において、前記保守テスト処理装置（５０６ａ）により前記データ表示器（５０８）に表示し、
前記遠隔保守センタ（５０１）の保守専門技術者は、表示を見てユーザーサイトの保守技術者に代わって保守作業を実行できるようにしたことを特徴とする（１）項に記載の歯科用チェアユニットの遠隔保守システム。
【０００６】
（３）ユーザーサイトに保守技術者が常時不在時の歯科用チェアユニットの遠隔保守システムにおいて、
前記保守対象歯科用チェアユニット（５００）が複数の歯科用チェアユニット（５０２）を含む場合、
前記テスト装置（５０３）を個別に配設して、並列に接続し、
前記遠隔保守センタ（５０１）の前記チェアユニット保守テスト処理装置（５０６）の前記テストモード設定ソフトウェア（５３０）を順次保守作業のモードとし、複数台の前記歯科用チェアユニット（５０２）を順次切り替えて保守できるようにしたことを特徴とする（２）項に記載の歯科用チェアユニットの遠隔保守システム。
【０００８】
【発明の実施の形態】
本発明の実施の形態を図面に基づいて説明する。
図１は本システムを構成する保守対象チェアユニットと遠隔保守センタ間のネットワークの概要を示すブロック図である。
図において、５００はユーザーサイトの保守対象歯科用チェアユニット、５０１は遠隔保守センタ、５０２は歯科用チェアユニット、５０３はテスト装置、５０４は電話機、５０５はネットワーク、５０６はチェアユニット保守テスト処理装置、５０６ａは保守テスト処理装置、５０７は保守記録データファイル、５０８はデータ表示器、５０９はプリンタ、５４０は機械室、５４１は圧縮・送風機、５４２は吸引ポンプを示す。
ユーザーサイトの保守対象歯科用チェアユニット５００は、歯科用チェアユニット５０２と、それに接続されるテスト装置５０３及び電話機（電子メール・電話機）５０４により構成される。一般にチェアユニット５０２において使用される空気圧機器（圧縮・送風機５１４、吸引ポンプ５４２）は、振動、騒音等を避けるためやや離れた機械室５４０に設置され、また複数台のチェアユニットの供給源とされる。本事例では、上記機械室５４０も保守対象歯科用チェアユニット５００に含まれるものとする。
【０００９】
テスト装置５０３は、コンピュータネットワーク（ネットワーク）５０５によって、チェアユニット保守テスト処理装置５０６と同周辺機器の保守記録データファイル５０７とデータ表示器５０８とプリンタ５０９及び電話機５０４により構成される遠隔保守センタ５０１に接続されており、
前記ネットワーク５０５を介して、ユーザサイトに設置した歯科用の保守対象チェアユニット５００の保守作業を、遠隔保守センタ５０１に設置した前記遠隔保守用各機器及び遠隔保守センタ５０１の保守専門技術者によって、遠方より実施、あるいは支援する。
なお、上記ネットワーク５０５は、ＷＡＮ（ワイドエリアネットワーク）、ＣＡＮ（シティエリアネットワーク）、ＬＡＮ（ローカルエリアネットワーク）等の通信網を使用してよく、また方式としてインターネットを採用してもよい。
【００１０】
以下図に基づいて各ブロックの詳細とフローを説明する。
図２はユーザーサイトの保守対象チェアユニットとテスト装置のブロック図である。
図において、２０１は処理装置（ＣＰＵ）、５１０は操作スイッチ・キー、５１１、５１２はコネクタ、５１３は操作スイッチ・キー並列接点部、５１４は送受信端末、５１５はネットワーク接続端子、５１６は手動・自動切り替え手段、を示す。
保守対象歯科用チェアユニット５００の各種モード（後記）の選択スイッチの多数を備えたコントロール部には、各操作スイッチ・キー５１０が配設されており、処理装置２０１（ＣＰＵ）により処理され、その結果は表示パネル８に表示され、保守診断に供されているが、この表示信号をチェアユニット側のコネクタ５１１と、テスト装置側のコネクタ５１２とを嵌合し接続させる。
ユーザーサイトに、保守技術者がいて前記操作スイッチ・キー５１０を操作する場合は、手動・自動切り替え器５１６は１側の手動になっているので、信号は直接、送受信端末５１４に入り、ネットワーク接続端子５１５から前記ネットワーク５０５を介して遠隔保守センタ５０１に送信される。
また、電子メール・電話機５０４によっての交信も可能となる。
【００１１】
次に、ユーザーサイトに保守技術者が不在時の保守点検手段として、
遠隔保守センタ５０１からの操作によって、前記手動・自動切り替え器５１６を２側の自動に切り替えると、テスト装置５０３の操作スイッチ・キー並列接点部５１３が、チェアユニット５０２の操作スイッチ・キー５１０に並列に接続されるため、ユーザーサイトの保守用技術者と全く同じ前記選択スイッチ（操作スイッチ・キー５１０）の操作を、保守センタ５０１において操作することができる。
そして、ネットワーク５０５を介して保守対象チェアユニット５０２を作動させて実行し、その結果が、前記チェアユニット５０２の表示パネル８の入力信号回路から並列に取り出され、テストデータの出力信号として、ネットワーク５０５を介して遠隔保守センタ５０１に送信される。
なお、上記自動保守を選択した場合、ユーザーサイトで２重操作を行うことができないように禁止回路（図示せず）が設けられている。
【００１２】
また、上記チェアユニット５０２の選択スイッチ（操作スイッチ・キー）５１０は、基本的には単にＯＮ／ＯＦＦ接点のスイッチであり、これらを所定順序に従って操作することにより各種モードのテストを行っているので、
テスト装置５０３に搭載するスイッチは、その接点を前記チェアユニット５０２の操作スイッチ・キー５１０の接点と並列に配列し、かつその駆動は非接触で駆動してやればよい。
図３はテスト装置の操作スイッチ・キー並列接点部の基本構成の説明図、である。
図において、５１７はＣＰＵ、５１８はデータバス、５１９は入力ポート、５２０、５２１，５２２、５２３はテスト装置の並列テスト接点、５２４，５２５，５２６，５２７は同接点駆動部、５１０ａ、５１０ｂ、５１０ｃ、５１０ｄはチェアユニットのテスト接点を示す。
【００１３】
後記（図４）のテストモード設定ソフト５３０により保守テスト処理装置（５０６ａ）から送受信端末５１４とネットワーク５０５を経由したテスト用の制御信号は、ユーザーサイトの送受信端末５１４から、ＣＰＵ５１７に入力され、５２０〜５２３のテスト装置の並列テスト接点の駆動信号に変換され、データバス５１８から入力ポート５１９によって、順序に従って接点駆動部５２４〜５２７を駆動する。
上記の接点・駆動は、例えば、リードリレー等の小型で信頼性があるものが、好ましい。
そして、この接点は、前記コネクタ５１２と５１１とを接続させると、図示したように並列回路が形成される。従って、ユーザーサイトの保守技術者が不在の時は、チェアユニットの接点５１０ａ〜５１０ｄはＯＦＦになっているので、テスト装置の並列テスト接点５２０〜５２３を作動させることにより、ユーザーサイトの保守技術者と同様なテストを実行することができる。
なお、前記テスト装置の並列テスト接点中、特に大きな電力のＯＮ／ＯＦＦを必要とする例えば、チェアユニットのメインスイッチ１８、機械室の圧縮・送風器５４１並びに吸引ポンプ５４２用のスイッチ等は、上記小接点により別な場所に配設したさらに大容量の接点をＯＮ／ＯＦＦさせればよい（図示せず）。
【００１４】
図４は遠隔保守センタのチェアユニット保守テスト処理装置のブロック図である。
図において、５０６ａは保守テスト処理装置、５１４は送受信端末、５２８は異常検知手段、５２９は警報器、５３０はテストモード設定ソフトを示す。
遠隔保守センタ５０１には、チェアユニットの保守テスト処理装置５０６が設置されており、
前記ユーザーサイトに保守技術者がいて、当該型式のチェアユニットのテストデータを送信してきた場合は、
ネットワーク接続端子５１５から送受信端末５１４を介して受信され、保守テスト処理装置５０６ａのデータ表示器５０８に、テストデータが表示される。
この表示器は大型のものが望ましく、例えば表示器の左側にテストデータを、それと平行の右側に、各ユニット保守記録データファイル５０７から取り出したテストデータの正常値を表示し、比較を容易にすると共に、両者の値に相違があるときには、異常検知手段５２８によって警報器５２９により警報を発生させてもよく、またこの記録は前記記録ファイル（各ユニット保守記録データ）５０７に蓄積し、データベースとして活用できる。
そして、遠隔保守センタの保守専門技術者は、表示を見てユーザーサイトの保守技術者を支援することができる。この交信は、前記送受信端末５１４に付帯している電子メール・電話機５０４等により行われる。
なお、各種記録はプリンタ５０９により印字することができる。
【００１５】
次に、ユーザーサイトに保守技術者が不在時の遠隔保守センタにおける保守点検手段を説明する。
まず、前記ユーザーサイトの手動・自動切り替え器５１６を２側の自動に、遠隔保守センタ５０１からの制御信号によって切り替えて、前記操作スイッチ・キー並列接点部５１３を作動状態とする。
そして、テストモード設定ソフト５３０により、保守テスト処理装置５０６ａから送受信端末５１４及びネットワーク５０５を経由し、ユーザーサイトの送受信端末５１４により前記テスト装置の操作スイッチ・キー並列接点部５１３を作動させ、その結果を例えば、双方向通信によって受信し、前述のように表示、記録、異常検知、プリント等の保守作業を行う。
この時の記録は、データベースとなり、また、ユーザーサイトに後刻通知することができる。
なお、当該チェアユニットの型式は、事前に判明しているものとする。
【００１６】
上記において、歯科用チェアユニットの遠隔保守装置の配置が、
ユーザーサイトに保守技術者が不在で、かつ保守対象チェアユニットが複数であり、一箇所の遠隔保守センタで集中管理する「センタ集中システム」の場合は、ユーザーサイトでは、前記テスト装置５０３をチェアユニット５０２毎に個別に配設して並列接続とし、遠隔保守センタ５０１ではテストモード設定ソフト５３０を、順次保守作業のモードとし、複数台を順次切り替えてテストする（図１）。
なお、複数台のチェアユニット中、型式の異なるものがあるときは対応するテスト装置を個別に設置し、上記テストモード設定ソフト５３０の設定を順番に従って型式を切り替えながら順次テストしてゆくものとする。
【００１７】
また、歯科用チェアユニットの遠隔保守装置の配置が、
複数の保守対象歯科用チェアユニット毎に、「遠隔サブ保守センタ」を設け、
これらの遠隔サブ保守センタを、遠隔保守センタで管理する「サブセンタシステム」としてもよく、
この方式によれば、ユーザーのチェアユニットの設置範囲が地理的に広範囲にわたる場合でも、遠隔保守センタにおいて効率的な保守を行うことができる。
図５はサブセンタシステムのブロック図である。
図において、５５０は遠隔サブ保守センタを示す。
【００１８】
図６は、保守対象チェアユニットの外観斜視図である。
図において、１は歯科治療椅子、１ａは型式銘板、２はシート、３はバックシート、４はトレーテーブル、５はインスツルーメント、６はインスツルーメントホルダー、７はコントロールパネル、８は表示パネル、９はフイルムビュアー、１０はフートコントローラ、１１はスピットン、１２は無影灯、１３はアシスタント用コントロールパネル、１４はインスツルーメントホルダー、１５はインスツルーメント、１６はヘッドレスト、１７は設定キイー、１８はメインスイッチ、１９は安全スイッチ、を示す。
【００１９】
図７は、コントロールパネルの外観図である。
図において、２０はオートセット１用スイッチ及び記憶用スイッチ、２１はオートセット２用スイッチ及び記憶用スイッチ、２２はうがい用リセットスイッチ、２３はオート用リセットスイッチ及び記憶用スイッチ、２４はソフトメモリー用スイッチ、２５はオートライトＯＮ／ＯＦＦスイッチ、２６はタイマーキャンセルスイッチ（Ｃキー）、２７は分単位セットスイッチ、２８は秒単位セットスイッチ（ＳＥＣキー）、２９はタイマースタートスイッチ（ＳＴキー）、３０はマイクロモーター回転切り替えスイッチ及びスケーラーＳＣＬ／ＥＮＤ切り替えスイッチ（ＬＭＨキー）、３１はモータ正逆切り替えスイッチ（Ｒキー）、３２は注水ＯＮ／ＯＦＦ切り替えスイッチ（Ｗキー）、３３はタービン／モーター及びライトＯＮ／ＯＦＦ切り替えスイッチ（Ｏ２キー）、を示し、このコントロールパネル７は、前記トレーテーブル４に配設されている。
なお（  ）内は略称を示す。
【００２０】
図８はアシスタント用コントロールパネルの外観図である。
図において、３４はコップ給水マニュアルスッチ、３５はバキューム自動洗浄スイッチ、を示す。
図９は、メインスイッチの外観図である。
メインスイッチ１８はチェアユニット全体の電源をＯＮ／ＯＦＦする。
図１０は、フートコントローラの外観斜視図で、
同（イ）図は外観図、（ロ）図はチェア操作レバー及びペダルの外観図である。
図において、３６及び３７はチェアシートの上昇及び下降レバー（スイッチ）、３８及び３９はチェアバックシートの傾斜及び起立レバー（スイッチ）、４０はペダルを示し、各操作によってチェアの姿勢制御を行う。
【００２１】
図１１は、ホルダーに配備されたインスツルーメントの外観図である。
図において、４１及び４２はエアータービンハンドピース、４３はマイクロモーターハンドピース、４４はスケーラー、４５はスリーウェイシリンジ、４６はスケーラー調節ダイヤル、４７〜５０はインスツルーメント取りだし作動スイッチを示し、上記インスツルーメント中のハンドピース４１〜４４のいずれかを取り出すと、対応するインスツルーメント取り出し作動スイッチ４７〜５０が作動する。
なお、前記保守対象歯科用チェアユニット５００に付帯する機械室５４０の圧縮・送風機５４１、吸引ポンプ５４２の操作スイッチ５１０の図示は省略する。
【００２２】
以上説明した各種スイッチは、通常、チェアユニットコントロール部の、パネル、フートコントローラ、インスツルーメントホルダ及びメインスイッチ、並びに機械室等に配設され、各操作に従って歯科治療椅子を作動させ、また表示パネル８には、前記タイマーの設定とカウント時間及びハンドピースの設定操作状態が表示されるが、「操作モード」に切り替えることによって、以下の各種のテストを実行することができる。
即ち、「登録モード」並びに「テストモード」に設定すると、前記各種スイッチの通常の作用は停止され、兼用して上記「登録モード」並びに「テストモード」を実行しかつ表示する（図１２）。
【００２３】
そして、ユーザーサイトの保守技術者は、「登録モード」並びに「テストモード」用の各種スイッチを操作し、その表示をみて保守を行っている。
さらに、前述したように、上記の表示信号をネットワーク５０５を介して、遠隔保守センタ５０１に送信して、遠隔保守センタ５０１の保守技術者から保守あるいは支援を受けることができる。
また、ユーザーサイトの保守技術者が不在の場合には、
遠隔保守センタ５０１において、テストモード設定ソフト５３０を自動操作に設定し、ユーザーサイトのテスト装置５０３を作動させて、前記各種スイッチを操作し、その表示信号を前記ネットワーク５０５を介して遠隔保守センタ５０１において受信し、遠隔保守センタの保守技術者により保守する。
【００２４】
次に保守のための各種モードについて説明する。
図１２は、歯科用チェアユニットとテスト装置の全系統ブロック図である。
図において，Ｉは操作モード、Ａは登録モードの作動基準値と、ハンドピース登録、及び表示の登録、Ｂは保守テストモードのハンドピーステスト、Ｃはスイッチテスト、Ｄはチェアテスト、Ｅはリレーテストー１、Ｆはリレーテストー２、ＧはＤ／Ａ係テスト、Ｈはシリアル回路テスト、１０１ａはテスト装置のデータバス、２０１ａはテスト装置のＣＰＵを示す。
本図は、歯科用チェアユニット５０２と同テスト装置５０３を、コネクタ５１１及び５１２により接続させた状態で、操作スイッチ・キー接点部５１０と、操作スイッチ・キー並列接点部５１３とは、並列に接続されている（図３）ものとする。
【００２５】
前記「登録モード」中、
１，「作業基準値」モードは、チェアユニット操作の基準となる以下
▲１▼、椅子の姿勢制御用油圧値
▲２▼、ハンドピース及びシリンジ系の空気圧値（給気圧、吸引圧）
▲３▼、同上水圧値、
▲４▼、無影灯の照度値
▲５▼、電気系回路及びモータ駆動用電源値
の各設定基準値の登録とその計測値で、
２、「ハンドピース登録」モードは、
インスツルーメントホルダー６に搭載された
▲１▼、ハンドピースの種類と数量と、
▲２▼、ライトの有無、
▲３▼、カム注水か、同時注水か、
の登録確認と、
３、「表示の登録」モードは、
▲１▼、アルファベット又はカタカナ＋アルファベットのいずれかを設定確認と、
▲２▼、表示文字の切り替え順番、
▲３▼、ライトの切り替え順番、
▲４▼、モータレンジのチップエアーの登録
▲５▼、スケーラーのラッチ機能の登録
▲６▼、タイマーアップブザー時間の設定
の登録確認である。
【００２６】
保守用「テストモード」は、
▲１▼、ハンドピースに係るコントロールパネルスイッチと、ホルダースイッチ並びに、フートコントローラスイッチの各スイッチをテストし、表示パネルに操作されたスイッチを表示する「ハンドピーステスト」モードと、
▲２▼、チェアに係るコントロールパネルスイッチと、アシスタント用コントロールパネルスイッチ並びに、フートコントローラのフートスイッチ及びリミットスイッチの各スイッチの動作表示及びセンサー出力を表示する「チェアテスト」モード、並びに「スイッチテスト」モードと、、
▲３▼、コントロールパネルスイッチに対応する電磁弁、ソレノイド及びリレーのＯＮ，ＯＦＦを表示する「リレーテスト１の標準モード」と、
▲４▼、コントロールパネルスイッチに対応する電磁弁、ソレノイド及びリレーのＯＮ，ＯＦＦを表示する「リレーテスト２（オプション関係の電磁弁、ソレノイド及びリレー）のモード」と、
▲５▼、スケーラー及び無影灯の制御を表示する「Ｄ／Ａコンバータ系のテスト」と、▲６▼、各スイッチのシリアル回路にテスト用データを送信し、受信されたデータとを比較テスト表示する「シリアル回路テスト」であり、
上記の各モードを使用することにより、歯科用チェアユニットの主要動作並びに、構成回路や各部品のテスト状況を定量的に把握することがで、保守の効率化を図ることができる。
【００２７】
次に、上記登録モードの表示例を示す。
図１３はハンドピースを取り出した時の（登録）図で、
Ｎｏ、１は前記一番左側のハンドピース、ＨＰはハンドピース、ＡＴはエアタービン、ＬＩＧＨＴ：Ｏはライト付き、ＣＡＭ  ＷＡＴＥＲＩＮＧ：Ｏはカム注水であることを示す。
なお、例えばライトなしは、ＬＩＧＨＴ：＊のように表示される。
図１４は表示の登録で、ハンドピースの選択（登録）図で、
図は表示文字は英語で、回転数の切り替えはＬ（低速）＞Ｍ（中速）＞Ｈ（高速）の順番であり、ＬＯＷレンジにおけるチップエアはなく、また、スケーラーのラッチ機能はなく、ブザーの鳴る時間は５分であることを示す。
図１５は前記登録により、使用時に表示されるインスツルーメントの事例で、タービンハンドピースの表示（使用時）図である。
図は設定タイマーの分、秒と、タービンの注水はオフ、ライトは高（ハイ）である。
【００２８】
図１６は表示文字にカタカナ＋アルファベットの選択図で、
前記図１５のタービンの表示を置き換えたものである。
上記のような表示により、登録モードがテスト確認される。
【００２９】
次で、「テストモード」の各表示例を示す。
図１７は、テストモード表示図で、
（イ）図は、テストモードと、チェアユニットの型名と年とメモリを示す。
（ロ）図は、スイッチテストモードが表示され、
（ハ）図は、フートコントローラのフートスイッチのペダル踏み込みの表示
（ニ）図はテーブルライトスイッチ操作の表示
（ホ）図はフートスイッチのペタル注水が、カム注水の表示
（へ）図はハンドピースホルダースイッチ１のテスト
（ト）図は設定スイッチのテーブルスイッチの選択表示
（チ）図はテーブルスイッチ、Ｌ／Ｍ／Ｈスイッチのテストを示す。
上記において、テスト項目があるテストの結果は○×印で表示パネルの右下に表示される。
図１８は、チェアユニットの姿勢制御テストの「センサーによる調整」の表示図で、ＬＩＦＴ（上昇）のＡ／Ｄデータは３１ｃｍ、ＢＡＣＫ（傾斜）のＡ／Ｄデータは９°であることを示す。
また，予め設定してある場合は、そのテスト結果が表示される。
【００３０】
図１９は「リレーテスト１」モードのテスト図を示す。
図において，ＳＴＤ（標準）ＳＯＬ（ソレノイド）、リレーテストのスイッチＯＮは、Ｌ／Ｍ／Ｈスイッチ３０（図７）で、チエックはＯ２スイッチ３３（図７）で高（ハイ）の状態を示す。
図２０は「リレーテスト２」モードのテスト図を示す。
前記ＳＴＤ、ＳＯＬ、ＲＥＡＬＹＴＥＳＴで、スイッチＯＮ，Ｌ／Ｍ／Ｈスイッチ３０で、チエックはＳＣスイッチ５０（図１１）は低（ロー）の状態を示す。上記において、テスト結果は○×印で表示パネルの右下に表示される。
【００３１】
また、前記「作動基準値」は表示パネルには、基準値と、それに対する現在のプラス又はマイナス値が表示され、差異のある場合には×印が表示される。（図示せず）。
上記のような表示により、テストモードがテストされ確認される。
以上は各操作キーにより入力ポート（１００）からＣＰＵ２０１のデーターバス１０１を介して、ＣＰＵ２０１にて処理され、出力ポート（図示せず）から対応するリレー、ソレノイド等を動作させ、表示パネル８にテスト結果を表示する（図１２）。従って、テスト者（ユーザーサイトあるいは遠隔保守センタ）は、表示を見ながら容易に経路毎のテスト結果を知ることができる。
【００３２】
前記の一例として、テストの系統図を示した。
図２１は、「登録モード」に関するテストの系統図で、歯科用チェアユニットとテスト装置とを接続した図である。
図において１００、１００ａは入力ポート、１０１、１０１ａはデータバス、２０１，２０１ａはＣＰＵ、２０２はＲＯＭ、２０３はＲＡＭ、２０６はＩ／Ｆ、２０７は登録メモリ、２１０は登録切り替え、２１１はＨＰ（ハンドピース）の機種切り替え、２１２はＨＰライトの切り替え、２１３はＨＰの注水、２１４は文字表示の切り替え、２１５はＨＰ回転数の切替順、２１６はＨＰライトの切り替え順、２１７はモータＬのチップエア、２１８はスケーララッチ、２１９はタイマーブザー時間、３００、３００ａはコントロールパネルのＨＰの登録キー（４）：キーの個数、３０１、３０１ａは表示の登録キー（６）：キーの個数、３１５、３１５ａは作動基準値の系、３１６、３１６ａは油圧センサキー、３１７，３１７ａは水圧センサキー、３１８，３１８ａは空気圧センサキー、３１９、３１９ａは吸引圧センサキー、３２０、３２０ａは照度センサキー、３２１、３２１ａは電源電圧センサキーを示す。
を示す。
【００３３】
先に、テスト装置５０３を手動・自動切り替え５１６を接点１とし、チェアユニット５０２のみを作動させた場合、ＨＰの登録キー３００（１７，３０，３２，３３）の操作信号は、入力ポート１００からデータバス１０１を経由してＣＰＵ２０１で処理され、及びＩ／Ｆ２０６を経由して登録メモリ２０７に登録される。
データバス１０１の右側の２１０ないし２１９に対応する設定登録の項目を示した。前述したように上記の設定登録事項は、４１〜４４（図１１）のいずれか一つを取り出すと、それに対応した上記事項が表示パネルに表示されるため、
各スイッチの操作によって表示パネルを見ながら、容易に選択された各ハンドピースの機能を登録でき、またその使用時に表示される。
そして後記テストモードにより、テスト結果を表示する。
【００３４】
次に、テスト装置５０３を手動・自動切り替え５１６を接点２とし、テスト装置５０３によりチェアユニット５０２を作動させた場合を述べる。
図３において前述したように、チェアユニットのテスト接点５１０ａと、テスト装置の並列テスト接点５２０とは、並列に接続されているため、ユーザーサイトに保守技術者が不在の場合は、チェアユニットの各キー・スイッチはＯＦＦであるため、テスト装置の並列テスト接点をＯＮ／ＯＦＦすることにより代行することができる。
本２１図においては、ＨＰの登録キー３００ａ、表示の登録キー３０１ａ、作業基準値の系３１５ａの各キーが前記並列テスト接点（５２０）に該当する。
従って、前記遠隔保守センタ５０１からの制御信号によって操作することにより上記と同様な登録の表示、確認、並びにテスト結果を遠隔保守センタ５０１において得ることができる。
【００３５】
図２２は保守用「テストモード」における「ハンドピーステスト」中のハンドピースホルダースイッチ及び、フートコントローラ（ハンドピース関連）のスイッチテストの系統図で、テスト装置５０３によりチェアユニット５０２を作動させた場合の図である。
図において、４７〜５０はハンドピースホルダスイッチで、ホルダー１〜４を、（４）：スイッチの個数、また、３０３，３０３ａはフートコントローラ（ハンドピース関連）で（５）：スイッチの個数、６０はハンドピース起動、６１はモータリバース、６２は注水、６３はチップエア（先端よりエア噴出）、６４は予備の各スイッチを示す。
図示したように、前記遠隔保守センタ５０１からの制御信号によって、ハンドピースホルダースイッチ３０２ａ及びフートコントローラ３０３ａの各スイッチを操作することにより、
上記、ユーザサイトの保守技術者と同様なハンドピース関連のテストと、その結果を遠隔保守センタ５０１において得ることができる。
【００３６】
なお、ハンドピースは、例えば前記図１１に示したエアタービンハンドピース４１，４２、マイクロモータハンドピース４３、スケーラー４４、スリーウエイシリンジ４５とも、通常注水を行うため、そのテスト時ユーザーサイトに保守技術者が不在の場合には、注水テスト後の排水処置が必要である。
このため、簡単な排水器を付帯させておき、自動テストを行う際には、テストの日時を事前にユーザーに連絡して、予め前記ハンドピースを、在駐している施術者あるいは従業員に予め排水器にセットしてもらうようにしてもよい。
この排水器は、例えば既存の排水処理器（厚さを有する円形容器で，上面に複数のハンドピースの先端部の挿入孔を有し底面より排水するもので、スピットンの上に随時セット、取り外しが可能）を用いてもよい。
【００３７】
以上の事例に示した手段により、
▲１▼、ハンドピースに係るコントロールパネルスイッチと、ホルダースイッチ並びに、フートコントローラスイッチの各スイッチをテストし、表示パネルに操作されたスイッチを表示する「ハンドピーステスト」モード（上記）に続いて、
詳細は図示しないが同様にして、
▲２▼、チェアに係るコントロールパネルスイッチと、アシスタント用コントロールパネルスイッチ並びに、フートコントローラのフートスイッチ及びリミットスイッチの各スイッチの動作表示及びセンサー出力を表示する「チェアテスト」モード、並びに「スイッチテストモード」と、
▲３▼、コントロールパネルスイッチに対応する電磁弁、ソレノイド及びリレーのＯＮ，ＯＦＦを表示する「リレーテスト１の標準モード」と、
▲４▼、コントロールパネルスイッチに対応する電磁弁、ソレノイド及びリレーのＯＮ，ＯＦＦを表示する「リレーテスト２（オプション関係の電磁弁、ソレノイド及びリレー）のモード」と、
▲５▼、スケーラー及び無影灯の制御を表示する「Ｄ／Ａコンバータ系のテスト」と、▲６▼、各スイッチのシリアル回路にテスト用データを送信し、受信されたデータとを比較テスト表示する「シリアル回路テスト」の各テストを、実施することができる（図１２）。
従って、上記の各モードを使用することにより、歯科用チェアユニットの主要動作並びに構成回路や各部品のテスト状況を、ユーザーサイト及び遠隔保守センタ、又は遠隔保守センタにおいて定量的に把握することができ、保守の効率化を図ることができる。
【００３８】
【発明の効果】
本発明によれば次のような優れた効果が発揮される。
１、本発明の請求項１の発明によれば、
（１）▲１▼、ユーザサイトの設備として、チェアユニットが歯科施術者の各種操作モードの選択スイッチ並びにその表示パネルと、それに接続されるテスト装置と、その結果をネットワークに接続する手段と、それに接続される電子メール及び電話機と、前記チェアユニットから直接ネットワークにテスト結果を送信する手段と、テスト機を経由してチェアユニットを操作する切り替え手段とを有し、
▲２▼、遠隔保守センタの設備として、中央処理装置と、それに付帯するテストモード設定ソフトウェアと、保守対象歯科用チェアユニットのテストデータを表示する表示器と、プリンタと、チェアユニットの記録データファイルと、異常検知器と警報器と、ネットワーク接続手段と、電子メール及び電話機とを有するチェアユニット保守テスト処理装置とを備え、
▲３▼、前記歯科用チェアユニット及びテスト装置と、チェアユニット保守テスト処理装置との間をコンピュータネットワークで結び、ユーザサイトの対象チェアユニットの保守作業を、遠隔保守センタに設置した遠隔保守用各機器及び遠隔保守センタの保守専門技術者が、ネットワークを介して、遠方より実施あるいは支援することができるため、
【００３９】
従来、主として障害が発生時、ユーザーからの連絡により工場あるいはサービスセンタから技術者が出向き保守を行ってきたが、その時点で修理部品の都合等により障害が解消できないことも多く、あるいは技術者が不慣れな場合障害の診断が的確にできず、再度保守技術者が出向く場合等があり、保守の実施が遅れユーザの信頼を失うことがあるとともに、多くの保守費用が発生する場合があったが、本発明によって、機種の多様化や、ユーザの設置範囲の広域化に対応できると共に、保守の質の向上と均一化を実行することができ、かつ修理時間の短縮、チェアユニットの信頼性の向上及び、保守費用の削減や、さらに保守データベースの作成等により、より効率的な保守システムを確立することできる。
【００４０】
かつ、ユーザーサイトの保守対象歯科用チェアユニットが、前記各種操作モード、登録モード、及び保守テストモードの切り替え用設定スイッチを設けて構成され、
各種操作モードの操作スイッチ・キーの多数を、前記登録モード並びに保守テストモードの選択スイッチとして兼用できるようにし、ユーザーサイトの保守技術者は、前記操作スイッチ・キーを操作して、それらのモードを表示パネルに表示し、保守対象歯科用チェアユニットの保守作業を行うことができると共に、前記表示パネルへの入力信号回路から並列に取り出した信号をネットワークを介して遠隔保守センタに送信でき、遠隔保守センタにおいて中央処理装置によってデータ表示器にユーザーサイトと同様な表示を行うことができるため、
遠隔保守センタの保守専門技術者は、前記データ表示器の表示をみてユーザーサイトの保守技術者と交信し支援する保守作業を実行することができる。
【００４１】
２、請求項２の発明によれば、
ユーザーサイトに保守技術者が不在時、
ユーザーサイトの保守用技術者が現地の前記保守対象歯科用チェアユニットにおいて操作する前記操作スイッチ・キーと同じ操作を、前記保守対象歯科用チェアユニットに接続されたテスト装置の前記操作スイッチ・キー並列接点部を、前記遠隔保守センタにおいて前記ネットワークを介して作動させて行い、その結果のテスト表示信号を、前記ネットワークを介して前記遠隔保守センタに送信して、前記遠隔保守センタにおいて、前記保守テスト処理装置により前記データ表示器にユーザサイトと同様な表示を行い、
前記遠隔保守センタの保守専門技術者は、前記データ表示器の表示を見てユーザーサイトの保守技術者に代わって保守作業を実行することができる。
【００４２】
３，請求項３の発明によれば、
ユーザーサイトに保守技術者が常時不在の場合の歯科用チェアユニットの遠隔保守システムにおいて、
前記保守対象歯科用チェアユニットが複数の歯科用チェアユニットを含む場合、前記テスト装置を個別に配設して、並列に接続し、前記遠隔保守センタの前記チェアユニット保守テスト処理装置の前記テストモード設定ソフトウェアを順次保守作業のモードとし、複数台の前記歯科用チェアユニットを順次切り替えて保守することにより対応することができる。
【図面の簡単な説明】
【図１】本システムを構成する保守対象歯科用チェアユニットと遠隔保守センタ間のネットワークの概要を示すブロック図。
【図２】ユーザーサイトの保守対象歯科用チェアユニットとテスト装置のブロック図。
【図３】テスト装置の操作スイッチ・キー並列接点部の基本構成の説明図。
【図４】遠隔保守センタのチェアユニット保守テスト処理装置のブロック図。
【図５】サブセンタシステムのブロック図。
【図６】保守対象歯科用チェアユニットの外観斜視図。
【図７】コントロールパネルの外観図。
【図８】アシスタント用コントロールパネルの外観図。
【図９】メインスイッチの外観図。
【図１０】フートコントローラの外観斜視図。
【図１１】ホルダーに配備されたインスツルーメントの外観図。
【図１２】歯科用チェアユニットとテスト装置の全系統ブロック図。
【図１３】ハンドピースを取り出した時の（登録）図。
【図１４】表示の登録で、ハンドピースの選択（登録）図。
【図１５】登録により使用時に表示されるインスツルーメントの事例でタービンハンドピースの表示（使用時）図。
【図１６】表示文字にカタカナ＋アルファベットの選択図。
【図１７】テストモード表示図。
【図１８】歯科用チェアユニットの姿勢制御テストの「センサーによる調整」の表示図。
【図１９】「リレーテスト１」モードのテスト図。
【図２０】「リレーテスト２」モードのテスト図。
【図２１】「登録モード」に関するテストの系統図。
【図２２】「テストモード」における「ハンドピーステスト」中のハンドピースホルダースイッチ及び、フートコントローラ（ハンドピース関連）のスイッチテストの系統図。
【符号の説明】
１：歯科治療椅子
１ａ：型式銘板
２：シート
３：バックシート
４：トレーテーブル
５：インスツルーメント
６：インスツルーメントホルダー
７：コントロールパネル
８：表示パネル
９：フイルムビュアー
１０：フートコントローラ
１１：スピットン
１２：無影灯
１３：アシスタント用コントロールパネル
１４：インスツルーメントホルダー
１５：インスツルーメント
１６：ヘッドレスト
１７：設定キイー
１８：メインスイッチ
１９：安全スイッチ
２０：オートセット１用スイッチ及び記憶用スイッチ
２１：オートセット２用スイッチ及び記憶用スイッチ
２２：うがい用リセットスイッチ
２３：オート用リセットスイッチ及び記憶用スイッチ
２４：ソフトメモリー用スイッチ
２５：オートライトＯＮ／ＯＦＦスイッチ
２６：タイマーキャンセルスイッチ（Ｃキー）
２７：分単位セットスイッチ
２８：秒単位セットスイッチ（ＳＥＣキー）
２９：タイマースタートスイッチ（ＳＴキー）
３０：マイクロモーター回転切り替えスイッチ及びスケーラーＳＣＬ／ＥＮＤ切り替えスイッチ（ＬＭＨキー）
３１：モータ正逆切り替えスイッチ（Ｒキー）
３２：注水ＯＮ／ＯＦＦ切り替えスイッチ（Ｗキー）
３３：タービン／モーター及びライトＯＮ／ＯＦＦ切り替えスイッチ（Ｏ２キー）
３４：コップ給水マニュアルスイッチ
３５：バキュウム自動洗浄スイッチ
３６、３７：チェアシートの上昇及び下降レバー（スイッチ）
３８、３９：チェアバックシートの傾斜及び起立レバー（スイッチ）
４０：ペダル
４１、４２：エアータービンハンドピース
４３：マイクロモーターハンドピース
４４：スケーラー
４５：スリーウェイシリンジ
４６はスケーラー調節ダイヤル
４７〜５０：インスツルーメント取りだし作動スイッチ
６０：ハンドピース起動
６１：モータリバース
６２：注水
６３：チップエア（先端よりエア噴出）
６４：予備の各スイッチ
１００、１００ａ：入力ポート
１０１、１０１ａ：データバス
２０１，２０１ａ：ＣＰＵ（処理装置）
２０２：ＲＯＭ
２０３：ＲＡＭ
２０６：Ｉ／Ｆ
２０７：登録メモリ
２１０：登録切り替え
２１１：ＨＰ（ハンドピース）の機種切り替え
２１２；ＨＰライトの切り替え
２１３：ＨＰの注水
２１４：文字表示の切り替え
２１５：ＨＰ回転数の切替順
２１６：ＨＰライトの切り替え順
２１７：モータＬのチップエア
２１８：スケーララッチ
２１９：タイマーブザー時間
３００、３００ａ：コントロールパネルのＨＰの登録キー
３０１、３０１ａ：表示の登録キー
３０２、３０２ａ：ハンドピースホルダースイッチ
３０３，３０３ａ：フートコントローラ（ハンドピース関連）
３１５、３１５ａ：作動基準値の系
３１６、３１６ａ：油圧センサキー
３１７，３１７ａ：水圧センサキー
３１８，３１８ａ：空気圧センサキー
３１９、３１９ａ：吸引圧センサキー
３２０：照度センサキー
３２１、３２１ａ：電源電圧センサキー
５００：ユーザーサイトの保守対象歯科用チェアユニット
５０１：遠隔保守センタ
５０２：歯科用チェアユニット
５０３：テスト装置
５０４：電子メール・電話機
５０５：ネットワーク
５０６：チェアユニット保守テスト処理装置
５０６ａ：保守テスト処理装置
５０７：保守記録データファイル
５０８：データ表示器
５０９：プリンタ
５１０：操作スイッチ・キー
５１１、５１２：コネクタ（接続接栓）
５１３：操作スイッチ・キー並列接点部
５１４：送受信端末
５１５：ネットワーク接続端子
５１６：手動・自動切り替え手段
５１７：ＣＰＵ
５１８：データバス
５１９：入力ポート
５２０、５２１，５２２、５２３：テスト装置の並列テスト接点
５２４，５２５，５２６，５２７：同接点駆動部
５１０ａ、５１０ｂ、５１０ｃ、５１０ｄ：歯科用チェアユニットのテスト接点５２８：異常検知手段
５２９：警報器
５３０：テストモード設定ソフトウェア
５４０：機械室
５４１：圧縮・送風機
５４２：吸引ポンプ
Ｉ：操作モード
Ａ：登録モードの作動基準値と、ハンドピース登録、及び表示の登録
Ｂ：保守テストモードのハンドピーステスト
Ｃ：スイッチテスト
Ｄ：チェアテスト
Ｅ：リレーテストー１
Ｆ：リレーテストー２
Ｇ：Ｄ／Ａ係テスト
Ｈ：シリアル回路テスト
【図１】
0004569731.tif 000002
【図２】
0004569731.tif 000003
【図３】
0004569731.tif 000004
【図４】
0004569731.tif 000005
【図５】
0004569731.tif 000006
【図６】
0004569731.tif 000007
【図７】
0004569731.tif 000008
【図８】
0004569731.tif 000009
【図９】
0004569731.tif 000010
【図１０】
0004569731.tif 000011
【図１１】
0004569731.tif 000012
【図１２】
0004569731.tif 000013
【図１３】
0004569731.tif 000014
【図１４】
0004569731.tif 000015
【図１５】
0004569731.tif 000016
【図１６】
0004569731.tif 000017
【図１７】
0004569731.tif 000018
【図１８】
0004569731.tif 000019
【図１９】
0004569731.tif 000020
【図２０】
0004569731.tif 000021
【図２１】
0004569731.tif 000022
【図２２】
0004569731.tif 000023